(57)【要約】【課題】伝送効率を劣化させずに優先度の高いデータの遅延時間の変動を抑制することができる無線送信装置を得る。【解決手段】無線送信装置を、高優先パケット検知手段１０１と、送信制御手段１０２と、送信手段１０３とを備える構成とする。高優先パケット検知手段１０１は、入力されたパケットから高優先パケットを検知する。送信制御手段１０２は、高優先パケット以外のパケットを出力しているときに、高優先パケット検知手段１０１が高優先パケットを検知した場合に、高優先パケット以外のパケットの出力を途中で停止して、高優先パケットの出力を行う。送信手段１０３は、送信制御手段１０２から出力されたパケットを基に無線送信用の無線信号を生成して出力する。【選択図】      図１
2015126303.tif 000002
【特許請求の範囲】
【請求項１】
入力されたパケットから高優先パケットを検知する高優先パケット検知手段と、
前記高優先パケット以外のパケットを出力しているときに、前記高優先パケット検知手段が前記高優先パケットを検知した場合に、前記高優先パケット以外のパケットの出力を途中で停止して、前記高優先パケットの出力を行う送信制御手段と、
前記送信制御手段から出力されたパケットを基に無線送信用の無線信号を生成して出力する送信手段と
を備えることを特徴とする無線送信装置。
【請求項２】
前記送信制御手段は、前記高優先パケット以外のパケットの出力を途中で停止して、前記高優先パケットの出力を行った場合に、前記高優先パケットの出力完了後に、出力を停止した前記高優先パケット以外のパケットの残りのデータを出力することを特徴とする請求項１に記載の無線通信装置。
【請求項３】
前記高優先パケット以外のパケットを第1の所定の方法による符号化を行って前記送信制御手段に出力する圧縮符号化手段と、
前記圧縮符号化手段が前記第1の所定の方法により符号化を行う際に用いるデータパタンと符号の関係を示す第１のデータテーブルを、前記高優先パケット以外のパケットのデータを基に更新するデータ更新手段と
をさらに備えることを特徴とする請求項１または２いずれかに記載の無線送信装置。
【請求項４】
無線信号を受信して所定の形式に変換して受信信号として出力する受信手段と、
前記受信信号に含まれるパケットの優先度を第２の所定の方法で判断して、優先度の高い前記パケットを高優先パケットとして他のパケットとは分けて出力する高優先パケット判別手段と
を備えることを特徴とする無線受信装置。
【請求項５】
前記受信信号に前記高優先パケット以外のパケットを分割したデータが含まれているときに、第１の所定の情報を基に、分割されたデータを結合するパケット結合手段をさらに有することを特徴とする請求項４に記載の無線受信装置。
【請求項６】
送信側で第１の所定の方法により符号化された前記高優先パケット以外のパケットを復号する復号手段と、
前記復号手段が復号する際に用いる符号とデータパタンの関係を示す第２のデータテーブルを、前記高優先パケット以外のパケットのデータを基に更新する受信側データ更新手段と
をさらに備えることを特徴とする請求項４または５いずれかに記載の無線受信装置。
【請求項７】
請求項１から３いずれかに記載の無線送信装置と、
請求項４から６いずれかに記載の無線受信装置とを備え、
前記無線送信装置から出力された無線信号が前記無線受信装置に入力されることを特徴とする無線通信システム。
【請求項８】
入力されたパケットから高優先パケットを検知し、
前記高優先パケット以外のパケットを出力しているときに、前記高優先パケットが入力された場合に、前記高優先パケット以外のパケットの出力を途中で停止して、前記高優先パケットを出力するように制御し、
出力された前記パケットを基に無線送信用の無線信号を生成して出力することを特徴とする無線通信方法。
【請求項９】
前記高優先パケット以外のパケットの出力を途中で停止して、前記高優先パケットの出力を行った場合に、前記高優先パケットの出力完了後に、出力を停止した前記高優先パケット以外のパケットの残りのデータを出力することを特徴とする請求項８に記載の無線通信方法。
【請求項１０】
前記無線信号を受信して所定の形式に変換して受信信号として出力し、
前記受信信号のパケットの優先度を第２の所定の方法で判断して、優先度の高い前記パケットを高優先パケットとして他のパケットとは分けて出力することを特徴とする請求項８または９いずれかに記載の無線通信方法。
【発明の詳細な説明】
【技術分野】
【０００１】
本発明は、無線通信技術に関するものであり、特に無線通信におけるデータ伝送の遅延を抑制する技術に関するものである。
【背景技術】
【０００２】
情報通信社会の発展とともに情報端末装置の高性能化やデータの伝送速度の高速化など関連する技術も発達し、様々な分野や用途で通信ネットワークを介したデータの伝送が利用されるようになっている。一方で、様々な分野で利用されるにつれ、データを所定の時間内に確実に通信相手へ送ることの重要性も高くなっている。例えば、映像配信や音声通話などを通信回線を介して行うためには、データの伝送においてリアルタイム性を確保しないと映像の表示や通話の品質が維持できない。また、ネットワークを介して接続された機器間でマイクロ秒の精度での時刻同期を取るシステムも発達してきており、ネットワーク伝送時間の変動を抑制することも求められている。また、リアルタイム性が要求されるデータの伝送は、光通信分野などの有線回線を用いた通信だけでなく無線通信分野においても行われている。
【０００３】
リアルタイム性が要求されるようなデータを所定の時間内に確実に伝送するために、データに優先度を設定して優先度の高いデータを優先して伝送する方法が用いられることがある。データに優先度を設定して優先度の高いデータを優先的に伝送することにより、リアルタイム性が要求されるようなデータの伝送時の遅延時間を抑制して、通信の品質の確保が行われる。一方で、通信全体の品質を確保するためには、優先度の高いデータの遅延時間の変動を抑制する一方で、全体の伝送効率も低下させないことが望ましい。データに優先度を設定して、優先度の高いデータ伝送時の遅延時間を抑制する技術としては、例えば、特許文献１に開示された技術がある。
【０００４】
特許文献１は、データに優先度を設定し優先度に応じたデータの送信を行う伝送装置に関するものである。また、特許文献１には、優先度の低いパケットを所定のサイズのパケットに分割する技術も開示されている。特許文献１の伝送装置は、優先度の高いパケットを受信部で受け取ると、受信した時刻と伝送路へ送信する信号の生成等にかかる処理時間から、優先度の高いパケットの伝送路への送信が開始される第１の時刻を計算する。また、特許文献１の伝送装置は伝送路への送信前で待機中の優先度の低いパケットを伝送路へ送信した場合に、送信を完了する第２の時刻を計算する。第１の時刻よりも第２の時刻の方が早いときは、伝送装置は優先度の低いパケットを伝送路へ送信する。第１の時刻よりも第２の時刻の方が遅いときは、伝送装置は優先度の低いパケットを送信せずに、優先度の高いパケットの処理が終わり次第、優先度の高いパケットを伝送路へ送信する。特許文献１では、時刻の計算から優先度の低いパケットの送信開始の可否を判断することで、優先度の高いパケットが滞留することを避けることができるとしている。その結果、優先度の高いパケットの伝送時の遅延時間の変動を抑制することができるとしている。
【先行技術文献】
【特許文献】
【０００５】
【特許文献１】特開２０１３−４６３８９号公報
【発明の概要】
【発明が解決しようとする課題】
【０００６】
しかしながら、特許文献１の技術は次のような点で十分ではない。特許文献１の技術では、優先度の高いパケットの送信側の伝送装置内での処理時間と優先度の低いパケットの送信にかかる時間を予測して、優先度の低いパケットの送信開始の可否の判断を行っている。特許文献１では、優先度の低いパケットの送信の完了の時間を予測して優先度の低いパケットを送信している。そのため、優先度の低いパケットの送信時間が予測よりも大きい場合には、優先度の高いパケットを送信できず遅延が生じ得る。また、特許文献１では優先度の低いパケットを所定のサイズに分割することにより、優先度に応じた送信の制御を容易にしている。しかし、特許文献１では優先度の高いパケットの送信時間が短いほど、優先度の低いパケットを小さくする必要があり、優先度の低いパケットの分割数が多くなる。パケットの分割数が多くなると分割したパケットに付加するヘッダのデータ量が増大する。よって、特許文献１の伝送装置では伝送効率が大きく低下する恐れがある。そのため、特許文献１の技術は、伝送効率を劣化させずに優先度の高いデータの遅延時間を抑制するための技術としては十分では無い。
【０００７】
本発明は、伝送効率を劣化させずに優先度の高いデータの遅延時間の変動を抑制することができる無線送信装置を得ることを目的としている。
【課題を解決するための手段】
【０００８】
上記の課題を解決するため、本発明の無線送信装置は、高優先パケット検知手段と、送信制御手段と、送信手段とを備えている。高優先パケット検知手段は、入力されたパケットから高優先パケットを検知する。送信制御手段は、高優先パケット以外のパケットを出力しているときに、高優先パケット検知手段が高優先パケットを検知した場合に、高優先パケット以外のパケットの出力を途中で停止して、高優先パケットの出力を行う。送信手段は、送信制御手段から出力されたパケットを基に無線送信用の無線信号を生成して出力する。
【０００９】
本発明の無線通信方法は、入力されたパケットから高優先パケットを検知する。本発明の無線通信方法は、高優先パケット以外のパケットを出力しているときに、高優先パケットを検知した場合に、高優先パケット以外のパケットの出力を途中で停止して、高優先パケットを出力するように制御する。本発明の無線通信方法は、出力されたパケットを基に無線送信用の無線信号を生成して出力する。
【発明の効果】
【００１０】
本発明によると伝送効率を劣化させずに優先度の高いデータの遅延時間の変動を抑制することができる。
【図面の簡単な説明】
【００１１】
【図１】本発明の第１の実施形態の構成の概要を示す図である。
【図２】本発明の第２の実施形態の構成の概要を示す図である。
【図３】本発明の第２の実施形態における無線送信装置の構成の概要を示す図である。
【図４】本発明の第２の実施形態におけるパケットの構成の例を示す図である。
【図５】本発明の第２の実施形態におけるパケットの構成の例を示す図である。
【図６】本発明の第２の実施形態における無線受信装置の構成の概要を示す図である。
【図７】本発明の第２の実施形態におけるデータの例を示す図である。
【図８】本発明と対比した構成におけるデータの例を示す図である。
【図９】本発明の第３の実施形態の構成の概要を示す図である。
【図１０】本発明の第３の実施形態における無線送信装置の構成の概要を示す図である。
【図１１】本発明の第３の実施形態における無線受信装置の構成の概要を示す図である。
【図１２】本発明の第３の実施形態におけるデータテーブルの例を示す図である。
【発明を実施するための形態】
【００１２】
本発明の第１の実施形態について図を参照して詳細に説明する。図１は本実施形態の無線送信装置の構成の概要を示したものである。本実施形態の無線送信装置は、高優先パケット検知手段１０１と、送信制御手段１０２と、送信手段１０３とを備えている。高優先パケット検知手段１０１は、入力されたパケットから高優先パケットを検知する。送信制御手段１０２は、高優先パケット以外のパケットを出力しているときに、高優先パケット検知手段１０１が高優先パケットを検知した場合に、高優先パケット以外のパケットの出力を途中で停止して、高優先パケットの出力を行う。送信手段１０３は、送信制御手段１０２から出力されたパケットを基に無線送信用の無線信号を生成して出力する。
【００１３】
本実施形態の無線送信装置は、高優先パケット以外のパケットを出力しているときに、高優先パケットを検知すると、送信制御手段は高優先パケット以外のパケットの出力を途中で停止して、高優先パケットを出力する。このように、高優先パケットを優先的に出力することにより高優先パケットの滞留を避けることが出来る。その結果、伝送効率を劣化させずに高優先パケットの遅延時間の変動を抑制することができる。
【００１４】
本発明の第２の実施形態について図を参照して詳細に説明する。図２は本実施形態の無線通信システムの構成の概要を示したものである。本実施形態の無線通信システムは、無線送信装置１０と、無線受信装置３０とを備えている。本実施形態の無線通信システムでは、無線信号が無線送信装置１０から無線回線８０へと送信され、無線受信装置３０が無線送信装置１０からの無線信号を無線回線８０を介して受信する。本実施形態では、無線受信装置３０は、無線送信装置１０からの無線信号を中継装置等を介さずに直接、受信する。無線受信装置３０が、無線送信装置１０からの無線信号を無線回線８０に備えられた中継装置等を介して受信する構成とすることもできる。
【００１５】
図３は本実施形態の無線送信装置１０の構成の概要を示したものである。無線送信装置１０は、パケット受信部１１と、ヘッダ解析部１２と、ＰＴＰ（Precision Time Protocol）パケットキュー部１３と、ヘッダ多重部１４とを備えている。無線送信装置１０は、低優先パケットキュー部１５と、ハフマン符号化部１６と、低優先パケット制御部１７とを備えている。また、無線送信装置１０は、パケット送信制御部１８と、ＦＥＣ（Forward Error Correction）符号化部１９と、シンボルマッピング部２０と、無線送信部２１とを備えている。また、無線送信装置１０には、無線送信部２１から出力された信号を無線回線８０へと送信するためのアンテナ２２が接続されている。無線送信装置１０には、無線送信装置１０に接続されたネットワークから信号が入力される。無線送信装置１０は、ネットワークから入力された信号を基に無線通信システムの規格に沿った信号を生成して、無線回線８０を介して無線受信装置３０へと信号を送る。
【００１６】
パケット受信部１１はネットワークから入力されるデータを受信し、無線送信装置１０で用いられる所定のデータ形式に変換して出力する機能を有する。ヘッダ解析部１２は、パケット受信部１１から送られてくるパケット形式のデータのヘッダ部を読み取り、各パケットの優先度を判断する機能を有する。ヘッダ解析部１２は優先度を判断したパケットを優先度ごとの経路へ出力する機能を有する。ヘッダ解析部１２は、受け取ったパケットが優先度の高いパケットであると判断すると、ＰＴＰパケットキュー部１３へとパケットを出力する。また、ヘッダ解析部１２は、受け取ったパケットが優先度の高いパケットではなく、優先度の低いパケットであると判断すると、低優先パケットキュー部１５へとパケットを出力する。
【００１７】
ＰＴＰパケットキュー部１３は、ヘッダ解析部１２から受け取ったパケットを保存する機能を有する。ＰＴＰパケットキュー部１３は、保存したパケットのパケット長を解析する機能を有する。ＰＴＰパケットキュー部１３は、保存したパケットおよびパケット長の情報を、所定のタイミングで受け取った順にヘッダ多重部１４へと出力する機能を有する。
【００１８】
ヘッダ多重部１４は、ＰＴＰパケットキュー部１３から受け取ったパケットのヘッダ部の前に、ＰＴＰパケットであることを示す所定の情報とパケット長の情報を付加する。所定の情報をヘッダ部の前に付加することにより、ＰＴＰパケットのヘッダ部を解析しなくても、所定の情報を検知してパケットの先頭を識別すると同時にＰＴＰパケットであることを識別することができる。その結果、無線受信装置３０は、パケットの先頭を識別することにより優先度に応じてパケットを振り分けることができる。ＰＴＰパケットについての規格はＩＥＥＥ（The Institute of Electrical and Electronics Engineers）１５８８に規定されている。ＰＴＰパケットは、リアルタイム性が要求される用途のデータのパケットであり、遅延時間の抑制等のために高精度の時間管理が行われる。本実施形態では、ＰＴＰパケットは遅延時間の抑制のために他のパケットよりも優先的に無線回線８０への送信が行われる。また、ＩＥＥＥ１５８８に規定されているＰＴＰパケットだけでなく、遅延時間を抑制することが必要な優先度の高いパケットに本実施形態の技術を適用することができる。また、本実施形態では、ＰＴＰパケットであることを示す所定の情報は、あらかじめ設定されてヘッダ多重部１４に保存されている。ＰＴＰパケットであることを示す所定の情報は、ハフマン符号化部１６で割り当てられていない符号が用いられる。ヘッダ多重部１４は、ヘッダ部の前にＰＴＰパケットであることを示す所定の情報を付加すると、パケットをパケット送信制御部１８へと出力する。
【００１９】
図４は、本実施形態においてヘッダ多重部１４で処理が行われる前後のＰＴＰパケットの構成の例を示している。図４の「ＯＶＨ」は、ＰＴＰパケットであることを示す所定の情報を示している。図４に示す通り、ＰＴＰパケットにはヘッダ多重部１４において、パケット長を示す情報と、ＰＴＰパケットであることを示す所定の情報が付加される。図４に示す通り、ＰＴＰパケットのヘッダ部の前にパケット長を示す情報が付加され、パケットの先頭にＰＴＰパケットであることを示す所定の情報が付加されている。
【００２０】
低優先パケットキュー部１５は、ヘッダ解析部１２から受け取ったパケットを保存する機能を有する。また、低優先パケットキュー部１５は、保存したパケットのパケット長を解析する機能を有する。低優先パケットキュー部１５は、保存したパケットおよびパケット長の情報を、受け取った順に所定のタイミングでハフマン符号化部１６に出力する機能を有する。
【００２１】
ハフマン符号化部１６は、受け取ったパケットの先頭にパケット長の情報を付加する機能を有する。また、ハフマン符号化部１６は、受け取ったパケットのデータを圧縮するためにハフマン符号化する機能を有する。ハフマン符号化部１６は、パケット長の情報の部分もハフマン符号化する。ハフマン符号化部１６は、データパタンごとの符号の割り当てを示すデータテーブルを保存している。ハフマン符号化部１６は、ハフマン符号化したパケットの先頭に優先度の低いパケットであることを示し所定の情報を付加する機能をさらに有する。優先度の低いパケットであることを示す所定の情報は、ハフマン符号化でデータパタンへの割り当てに用いられていない符号が割り当てられている。また、優先度の低いパケットであることを示す所定の情報のための符号は、ＰＴＰパケットであることを示す符号ともことなる符号が割り当てられている。ハフマン符号化部１６は、ハフマン符号化したデータを低優先パケット制御部１７に出力する。圧縮符号化はハフマン符号化の方式だけでなく、ユニバーサル符号やフィボナッチ符号など他の符号化方式を用いることもできる。
【００２２】
図５は、本実施形態においてハフマン符号化部１６で処理が行われる前後での優先度の低いパケットの構成の例を示している。図５の「ＯＶＨ」は、優先度の低いパケットであることを示す所定の情報を示している。図５に示す通り、優先度の低いパケットである低優先パケットにはハフマン符号化部１６において、パケット長を示す情報と、優先度の低いパケットであることを示す所定の情報が付加される。図５に示す通り、低優先パケットのヘッダ部の前にパケット長を示す情報が付加され、パケットの先頭に優先度の低いパケットであることを示す所定の情報が付加されている。また、ハフマン符号化部１６を通過した後のパケットは、図５に示す通りパケット長を示す情報と低優先パケットの部分がハフマン符号化されている。
【００２３】
本実施形態の無線通信システムは、優先度の低いパケットのみを圧縮符号化している。優先度の高いパケットであるＰＴＰパケットは、全てのパケットにおいて伝送時間が一定時間で収まることが要求される。よって、ＰＴＰパケットはパケットのデータ長を一定の長さ以内に収める必要がある。圧縮符号化を行うと、パケットに含まれるデータパタンよってはデータ長が長くなるものが存在する可能性がある。そのため、ＰＴＰパケットについては圧縮符号化を行っていない。このように、優先度に応じて、圧縮符号化の有無を設定することにより、伝送にかかる時間の維持と伝送の効率の向上を両立することができる。
【００２４】
低優先パケット制御部１７は、ハフマン符号化部１６から受け取ったパケットを保存する機能を有する。低優先パケット制御部１７は、保存したパケットを受け取った順にパケット送信制御部１８に出力する機能を有する。低優先パケット制御部１７は、パケット送信制御部１８からの指示に基づいてパケットの出力を行う。低優先パケット制御部１７は、パケット送信制御部１８からパケットの出力を停止する指示を受けたときは、パケットの出力を停止する。また、低優先パケット制御部１７は、パケット送信制御部１８からパケットの出力を開始する指示を受けたときは、パケットの出力を開始する。低優先パケット制御部１７は、パケット送信制御部１８からパケットの出力の停止または開始の指示を受けると、次に新たな指示を受けるまでパケットの出力を停止した状態または出力する動作を継続する。
【００２５】
パケット送信制御部１８は、ヘッダ多重部１４および低優先パケット制御部１７から送られてくるパケットを、出力のタイミングを管理してＦＥＣ符号化部１９へと出力する機能を有する。パケット送信制御部１８は、ヘッダ多重部１４から送られてくるパケットを優先してＦＥＣ符号化部１９へと出力する。パケット送信制御部１８は、ヘッダ多重部１４から送られてくるパケットを優先するために、ヘッダ多重部１４からパケットを受け取ると低優先パケット制御部１７に対して、パケットの出力を停止する指示を送る。また、パケット送信制御部１８は、ヘッダ多重部１４から送られてきたパケットの出力を完了すると、低優先パケット制御部１７に対して、パケットの出力を開始する指示を送る。
【００２６】
パケット送信制御部１８は、ヘッダ多重部１４および低優先パケット制御部１７からデータ送信されてこない場合には、所定のデータを生成してＦＥＣ符号化部１９へ出力する。所定のデータはＰＴＰパケットであることを示す所定の情報および優先度の低いパケットあることを示す所定の情報とは異なるデータとして生成される。所定のデータは、無線受信装置３０が何らかのデータを受信した場合に、ＰＴＰパケットの先頭であるのか、優先度の低いパケットの先頭であるのか、または、それ以外であるのかを判別するために送信される。
【００２７】
ＦＥＣ符号化部１９は、パケット送信制御部１８から受け取ったパケットのデータを所定のアルゴリズムによるＦＥＣ方式で符号化してシンボルマッピング部２０へ出力する機能を有する。例えば、ＦＥＣ符号化部１９は、畳み込み符号方式を用いて受け取ったデータの符号化を行う。シンボルマッピング部２０は、ＦＥＣ符号化部１９から受け取ったパケットのデータを、無線送信用の各シンボルに割り当てて、各シンボルの変調量を示すデータを無線送信部２１へ出力する機能を有する。
【００２８】
無線送信部２１は、所定の周波数の搬送波を生成し、シンボルマッピング部２０から送られてきたデータを基に搬送波の振幅および位相の変調を行って無線送信用の信号を生成する機能を有する。また、無線送信部２１は、無線送信を行うために信号の強度を増幅する機能を有する。無線送信部２１は、生成した無線送信用の信号をアンテナ２２へと出力する。無線送信部２１から出力された無線送信用の信号は、アンテナ２２から無線回線８０へと送信される。
【００２９】
図６は本実施形態の無線受信装置３０の構成の概要を示したものである。無線受信装置３０は、無線受信部３１と、シンボルデマッピング部３２と、ＦＥＣ復号部３３と、ヘッダ解析部３４とを備えている。また、無線受信装置３０は、ＰＴＰパケットキュー部３５と、ハフマン復号部３６と、低優先パケット復元部３７と、パケット送信部３８とをさらに備えている。また、無線受信装置３０には、無線回線８０を介して無線送信装置１０からの信号を受信するためのアンテナ３９が接続されている。無線受信装置３０は、無線回線８０を介して無線送信装置１０から受信した信号を復調して、無線受信装置３０に接続されたネットワークで用いる所定の信号形式に変換してネットワークへと出力する。
【００３０】
無線受信部３１は、無線回線８０を介して受信する信号を無線受信装置３０で用いる所定の形式の信号に変換して出力する機能を有する。シンボルデマッピング部３２は、無線受信部３１から入力される電気信号からシンボルを復元する機能を有する。
【００３１】
ＦＥＣ復号部３３は、入力された信号を復号する機能を有する。ＦＥＣ復号部３３は、無線送信装置１０においてＦＥＣ方式で符号化された信号を復号する。ＦＥＣ復号部３３は、無線送信装置１０において行われる符号化のアルゴリズムに対応した復号を行うためのアルゴリズムをあらかじめ保存している。
【００３２】
ヘッダ解析部３４は、ＦＥＣ復号部３３から受け取ったパケットのヘッダ部を解析しパケットの優先度を判断して出力先を振り分ける機能を有する。ヘッダ解析部３４は、受け取ったパケットのヘッダ部の前にＰＴＰパケットであることを示す所定の情報または優先度の低いパケットであることを示す所定の情報が付加されているかによって、パケットの出力先を判断する。パケットのヘッダ部の前にＰＴＰパケットであることを示す所定の情報が付加されている場合、ヘッダ解析部３４は優先度の高いパケットであると判断して、ＰＴＰパケットキュー部３５にパケットを出力する。パケットのヘッダ部の前に優先度の低いパケットであることを示す所定の情報が付加されている場合は、ヘッダ解析部３４は優先度の低いパケットであると判断して、ハフマン復号部３７へパケットを出力する。ヘッダ解析部３４は、パケットを出力する際に優先度を示す所定の情報を削除して出力する。ヘッダ解析部３４は、無線送信装置１０のパケット送信制御部１８がデータを送信していないときに生成した、所定のデータを検知した場合には、優先度を示す情報を次に検知するまでに受信したデータを破棄する。
【００３３】
ヘッダ解析部３４は、優先度の低いパケットをハフマン復号部３７へ出力しているときに、ＰＴＰパケットを検知した場合は、ハフマン復号部３７への出力を停止してＰＴＰパケットをＰＴＰパケットキュー部３５へと出力する。ハフマン復号化部３７は、ＰＴＰパケットキュー部３５から、ＰＴＰパケットの受信を完了した情報を受け取ると、それ以降のデータのハフマン復号部３７への出力を再開する。ヘッダ解析部３４は、ＰＴＰパケットの受信を完了した情報を受け取ったタイミングで、優先度を示す情報を検知した場合は検知したパケットの優先度に応じた動作を行う。
【００３４】
ＰＴＰパケットキュー部３５は、ヘッダ解析部３４から受け取ったパケットを保存する機能を有する。ＰＴＰパケットキュー部３５は、ＰＴＰパケットのヘッダ部の前に付加されたパケット長の情報を解析する機能を有する。ＰＴＰパケットキュー部３５は、パケット長の情報と受け取ったＰＴＰパケットのデータ長が一致したときに、ＰＴＰパケットの受信を完了した情報をヘッダ解析部３４に送る機能を有する。また、ＰＴＰパケットキュー部３５は、保存したパケットを受け取った順に所定のタイミングでパケット送信部３８へと出力する機能を有する。
【００３５】
ハフマン復号部３６は、無線送信装置１０でハフマン符号化されたパケットを復号する機能を有する。ハフマン復号部３６は、ヘッダ解析部３４から受け取ったパケットを復号して低優先パケット復元部３７へと出力する。ハフマン復号部３６は、ハフマン符号化されたパケットを復号するための、データパタンと符号の割り当てを示すデータテーブルを保存している。
【００３６】
低優先パケット復元部３７は、無線送信装置１０が分割して送信した優先度が低いパケットを復元する機能を有する。低優先パケット復元部３７は、優先度の低いパケットの先頭に付加されたパケット長を示す情報を解析する機能を有する。また、低優先パケット復元部３７は受け取ったパケットを保存する機能を有する。低優先パケット復元部３７は、無線送信装置１０から分割して送信されたパケットを連続したデータとして保存して、１つのパケットに復元する。低優先パケットキュー部３７は、受け取ったパケットのデータ長を解析し、パケット長を示す情報と一致しないときは、パケットが分割されていると判断する。低優先パケットキュー部３７は、受け取ったデータをパケット長の情報と一致するまで連続したデータとして保存する。低優先パケットキュー部３７は、保存したデータがパケット長の情報と一致したときに優先度の低いパケットの１パケット分のデータの受信が完了したと判断する。低優先パケットキュー部３７は、保存したパケットのうち、受信が完了していると判断したパケットを、受け取った順に所定のタイミングでパケット送信部３８へとパケットを出力する。低優先パケットキュー部３７は、パケット送信部３８にパケットを出力する際にパケット長を示す情報を削除する。
【００３７】
パケット送信部３８は、ＰＴＰパケットキュー部３５および低優先パケット復元部３７から受け取ったパケットを無線受信装置３０から出力する機能を有する。パケット送信部３８は、受け取ったパケットを出力先のネットワークに応じた所定の信号形式に変換して出力する。
【００３８】
無線送信装置１０が、ネットワークからパケット化されて入力されるデータを基に無線送信用の信号を生成して無線回線８０に送信する際の動作について説明する。
【００３９】
無線送信装置１０に接続されたネットワークからパケットが無線送信装置１０に入力されたとする。無線送信装置１０に入力されたパケットはパケット受信部１１へと送られる。パケット受信部１１は、パケットを受け取ると無線送信装置１０で用いる所定の形式の信号に変換する。パケット受信部１１は、所定の信号形式に変換したパケットをヘッダ解析部１２へと出力する。ヘッダ解析部１２は、パケットを受け取るとパケットのヘッダ部を解析し、パケットの優先度を判断する。ヘッダ解析部１２は、パケットのヘッダ部に所定の種類のパケットであることを示す情報が含まれているときに、優先度の高いパケットであると判断する。本実施形態において所定の種類のパケットは、ネットワークの設計に応じてあらかじめ設定されて、ヘッダ解析部１２に保存されている。所定の種類のパケットには、例えば、ＶｏＩＰ（Voice over Internet Protocol）の音声パケットなどのリアルタイム性が要求されるデータのパケットが設定される。また、ヘッダ部に優先度を示す情報が含まれる構成として、ヘッダ解析部１２がヘッダに含まれる優先度を示す情報からパケットの優先度を判断する方法とすることもできる。
【００４０】
ヘッダ解析部１２は優先度が高いと判断したパケットをＰＴＰパケットキュー部１３へと送る。また、ヘッダ解析部１２は、優先度が高いと判断しなかったパケット、すなわち、優先度が高いと判断したパケットに比べ優先度が低いとしたパケットを低優先パケットキュー部１５へと送る。
【００４１】
ＰＴＰパケットキュー部１３は、パケットを受け取ると受け取ったパケットを保存する。ＰＴＰパケットキュー部１３は、パケットを保存すると、保存したパケットのパケット長を解析する。ＰＴＰパケットキュー部１３は、保存したパケットおよびパケット長の情報を、受け取った順にパケットをヘッダ多重部１４に送る。ヘッダ多重部１４は、ＰＴＰパケットキュー部１３から送られてきたパケットのヘッダ部の前にＰＴＰパケットであることを示す情報およびパケット長の情報を付加する。ＰＴＰパケットであることを示す情報はあらかじめ設定されて、ヘッダ多重部１４に保存されている。また、無線受信装置３０のヘッダ解析部３４にも、優先度の高いパケットを識別するためにＰＴＰパケットであることを示す同じ情報が保存されている。ヘッダ多重部１４は、パケットのヘッダ部の前にＰＴＰパケットであることを示す情報を付加すると、パケット送信制御部１８へと送る。
【００４２】
低優先パケットキュー部１５は、パケットを受け取ると受け取ったパケットを保存する。低優先パケットキュー部１５は、パケットを保存すると、保存したパケットのパケット長を解析する。低優先パケットキュー部１５は、パケット長を解析すると、保存したパケットおよびパケット長の情報を、受け取った順にパケットをハフマン符号化部１６に送る。ハフマン符号化部１６はパケットを受け取ると、受け取ったパケットのヘッダ部の前にパケット長を示す情報を付加する。ハフマン符号化部１６は、パケットにパケット長を示す情報を付加すると、データをハフマン符号化する。ハフマン符号化部１６は、受け取ったパケットのデータをハフマン符号化すると、符号化したパケットの先頭に優先度の低いパケットであることを示す所定の情報を付加する。ハフマン符号化部１６は、優先度が低いパケットであることを示す所定の情報を付加すると、パケットを低優先パケット制御部１７へと送る。優先度の低いパケットであることを示す所定の情報はあらかじめ設定されて、ハフマン符号化部１６に保存されている。また、無線受信装置３０のヘッダ解析部３４にも、優先度の低いパケットを識別するために、優先度の低いパケットであることを示す同じ情報が保存されている。
【００４３】
低優先パケット制御部１７は、パケットを受け取ると受け取ったパケットを保存する。低優先パケット制御部１７は、パケットを保存すると、パケット送信制御部１８からの指示に応じて、パケットをパケット送信制御部１８へと送る。低優先パケット制御部１７は、パケット送信制御部１８からパケットの出力を停止する指示を受け取った場合には、パケットをパケット送信制御部１８へ送る動作を停止する。パケット送信制御部１８へパケットを送る動作を停止している間は、低優先パケット制御部１７は、受け取ったパケットの保存のみを行い、出力は行わない。低優先パケット制御部１７は、パケット送信制御部１８からパケットの出力を行う指示を受け取った場合には、保存しているパケットをハフマン符号化部１６から受け取った順にパケット送信制御部１８へ送る。低優先パケット制御部１７は、パケット送信制御部１８から次の指示を受けるまで同じ動作状態、すなわち、パケットを送信する動作または送信を停止している状態を継続する。
【００４４】
パケット送信制御部１８は、ヘッダ多重部１４からパケットを受け取ると低優先パケット制御部１７にパケットの出力を停止する指示を送る。低優先パケット制御部１７は、パケットの出力を停止する指示を受けると、パケットの出力を停止する。パケット送信制御部１８は、低優先パケット制御部１７にパケットの出力を停止する指示を送ると、ヘッダ多重部１４から受け取ったパケットをＦＥＣ符号化部１９に出力する。パケット送信制御部１８は、低優先パケット制御部１７からのパケットを受け取っているときに、ヘッダ多重部１４からパケットを受け取った場合には、低優先パケット制御部１７にパケットの出力を停止する指示を送る。パケット送信制御部１８は、低優先パケット制御部１７から送られてくるパケットのデータの最後尾に付加された所定の情報まで出力すると、ヘッダ多重部１４から送らてくるパケットを出力する。
【００４５】
図７はパケット送信制御部１８からのパケットの出力のタイミングを横軸を時間として模式的に示したものである。図７の上段はヘッダ多重部１４にＰＴＰパケットが入力されるタイミングを横軸を時間として示している。図７の上段および下段の「ＰＴＰ」は優先度の高いパケットであるＰＴＰパケットを示している。また、図７の中段は低優先パケット制御部１７に優先度の低いパケットが入力されるタイミングを示している。図７の中段および下段の「低優先」は優先度の低いパケットを示している。図７の下段はパケット送信制御部１８からのパケットの出力のタイミングを示している。また、図７の下段の「ＯＶＨ」はパケットのヘッダの前に付加されたＰＴＰパケットであることを示す所定の情報である。「ＰＴＰ」と「低優先」の後の数字はパケットの順番を示している。
【００４６】
図７の下段に示すように、１番目のＰＴＰパケットの後に、１番目の低優先のパケットがパケット送信制御部１８から出力されている。図７の例では、１番目の低優先のパケットの出力中に２番目のＰＴＰパケットがヘッダ多重部１４に入力されたため、１番目の低優先のパケットの出力が停止され、２番目のＰＴＰパケットがパケット送信制御部１８から出力されている。２番目のＰＴＰパケットの出力が終わった後に、１番目の低優先のパケットの出力が再開されている。以下、ＰＴＰパケットがヘッダ多重部１４に入力されていないときに、優先度の低いパケットの出力が行われ、ＰＴＰパケットがヘッダ多重部１４に入力されたときに優先度の低いパケットの出力が停止されている。また、出力が途中で停止された優先度の低いパケットは、ＰＴＰパケットの出力が終わった後に、出力されている。このように、ＰＴＰパケットがヘッダ多重部１４に入力されたときに、低優先パケットの出力を停止して、ＰＴＰパケットを優先して出力することにより優先度の高いＰＴＰパケットの滞留を防ぐことができる。その結果、伝送効率を劣化させずに優先度の高いＰＴＰパケットの遅延の変動を抑制することが可能となる。
【００４７】
図８は、本実施形態の無線送信装置１０との対比として、パケット送信制御部が優先度の高いＰＴＰパケットを受け取るタイミングで優先度の低いパケットを停止しない構成の場合の例について示している。すなわち、図８は、パケット送信制御部は、優先度の低いパケットを出力しているときに、ＰＴＰパケットを受け取ると、出力中の優先度の低いパケットの出力を完了した後に、ＰＴＰパケットを出力する場合の例について示している。図８においても横軸を時間として、上段がヘッダ多重部にＰＴＰパケットが入力されるタイミング、中段が低優先パケット制御部に低優先のパケットが入力されるタイミングを示している。また、図８の下段はパケット送信制御部からＰＴＰパケットおよび低優先のパケットが出力されるタイミングを示している。図８の例では、２番目のＰＴＰパケットがヘッダ多重部に入力されているときに、１番目の低優先のパケット出力中であるので、１番目の低優先のパケットの出力を終えてから、２番目のＰＴＰパケットの出力を行っている。その結果、２番目のＰＴＰパケットは、１番目の低優先のパケットの出力が終わるまで滞留するためパケットの伝送に遅延が生じている。図８に示した例に比べ、本実施形態の無線通信装置１０は、ＰＴＰパケットの滞留を防ぐことが出来るのでＰＴＰパケットの遅延を抑制することができる。
【００４８】
ＦＥＣ符号化部１９は、パケット送信制御部１８から受け取ったパケットのデータについて無線回線８０へと送信するための符号化を行う。ＦＥＣ符号化部１９は、符号化の際に、所定のアルゴリズムを用いてＦＥＣ方式による冗長性を付与する。ＦＥＣ符号化部１９は、符号化したデータをシンボルマッピング部２０へ出力する。
【００４９】
シンボルマッピング部２０は、ＦＥＣ符号化部１９から受け取ったデータを無線信号で用いる各シンボルに割り当て、データに基づいて各シンボルの変調量を決定する。シンボルマッピング部２０は、各シンボルの変調量を示す情報を無線送信部２１へと出力する。無線送信部２１は、シンボルマッピング部２０から送られてくる変調量の情報を基に、シンボルごとに搬送波の位相および振幅の変調を行って無線送信用の信号を生成する。無線送信部２１は、無線送信用の信号を生成すると信号の増幅を行い、アンテナ２２から無線回線８０に無線信号を送信する。
【００５０】
次に、無線受信装置３０が、無線送信装置１０からの信号を無線回線８０を介して受信して復調する際の動作について説明する。無線送信装置１０からの信号が無線回線８０を介して無線受信装置３０に入力されたとする。無線受信装置３０に入力された信号は無線受信部３１へと送られる。
【００５１】
無線受信部３１に信号が入力されると、無線受信部３１は無線信号を無線受信装置３０で用いる所定の形式の信号に変換する。無線受信部３１は、所定の形式に信号を変換すると変換した信号をシンボルデマッピング部３２に出力する。無線受信部３１から信号を受け取ると、シンボルデマッピング部３２は、シンボルの復元を行う。シンボルデマッピング部３２は、シンボルを復元すると復元した各シンボルの変調量に対応したビットデータをＦＥＣ復号部３３に出力する。シンボルデマッピング部３２からデータを受け取ると、ＦＥＣ復号部３３は、無線送信装置１０においてＦＥＣ方式で符号化されたデータを復号してヘッダ解析部３４へと出力する。ヘッダ解析部３４は、ＦＥＣ復号部３３から送られてくるデータからパケットのヘッダ部の情報を抽出する。ヘッダ解析部３４は、ヘッダ部の前にＰＴＰパケットであることを示す所定の情報が付加されていると判断すると、パケットをＰＴＰパケットキュー部３５へと出力する。ヘッダ解析部３４は、ＰＴＰパケットをＰＴＰパケットキュー部３５へ出力する際に、ＰＴＰパケットであることを示す所定の情報を削除してパケットを出力する。
【００５２】
ＰＴＰパケットキュー部３５は、ヘッダ解析部３４からパケットを受け取ると、ＰＴＰパケットのヘッダ部の前に付加されているパケット長の情報を抽出する。ＰＴＰパケットキュー部３５は、パケット長の情報を抽出すると受け取ったパケットのデータ長を計測しながら連続データとして保存する。ＰＴＰパケットキュー部３５は、パケット長の情報と計測したデータ長が一致すると、ＰＴＰパケットの受け取りが完了したと判断する。ＰＴＰパケットキュー部３５は、ＰＴＰパケットの受け取りが完了したと判断するとＰＴＰパケットの受信を完了した情報をヘッダ解析部３４に送る。ＰＴＰパケットキュー部３５は、保存したパケットを受け取った順にパケット送信部３８に出力する。ＰＴＰパケットキュー部３５は、パケットを出力する際に、パケット長を示す情報を削除する。
【００５３】
ヘッダ解析部３４は、ヘッダ部に優先度の低いパケットであることを示す所定の情報が付加されていると判断すると、パケットをハフマン復号部３６へと出力する。ヘッダ解析部３４は、優先度の低いパケットを出力しているときに、ＰＴＰパケットを検知すると、ハフマン復号部３６への出力を停止して、ＰＴＰパケットキュー部３５へパケットを出力する。ヘッダ解析部３４は、ＰＴＰパケットキュー部３５から、ＰＴＰパケットの受信を完了した情報を受け取るまで、ＰＴＰパケットキュー部３５への出力を継続する。ＰＴＰパケットの受信を完了した情報を受け取ると、ヘッダ解析部３４は、ハフマン復号化部３６への出力を再開する。ＰＴＰパケットの受信を完了した情報を受け取るタイミングと、パケットの優先度を示す情報の検知が同じ場合には、ヘッダ解析部３４は検知した優先度を示す情報に応じた動作を行う。
【００５４】
ハフマン復号部３６は、パケットを受け取ると無線受信装置１０側でハフマン符号化により圧縮されたデータを復号する。ハフマン復号部３６は、復号したデータで構成されるパケットを低優先パケット復元部３７に出力する。
【００５５】
低優先パケット復元部３７は、パケットを受け取ると受け取ったパケットのヘッダ部の前に付加されているパケット長の情報を抽出する。低優先パケット復元部３７は、パケット長の情報を抽出すると受け取ったパケットを、データ長を計測しながら連続データとして保存する。低優先パケット復元部３７は、パケット長の情報と計測したパケットのデータ長が一致するまで、連続したデータとなるように保存する。低優先パケット制御部３７は、パケット長の情報と計測したデータ長が一致すると、１つのパケット分のデータの保存が完了したとして判断し、保存したデータを１つのパケットの連続データとして扱う。低優先パケット復元部３７は、保存したパケットのうち１パケット分のデータの保存が完了していると判断したパケットを、受け取った順に所定のタイミングでパケット送信部３８に出力する。低優先パケット復元部３７は、パケットを出力する際に、パケット長を示す情報を削除する。
【００５６】
パケット送信部３８は、ＰＴＰパケットキュー部３５または低優先パケット復元部３７から、パケットを受け取ると受け取ったパケットのデータを出力先のネットワークで用いられる形式の信号に変換する。パケット送信部３８は、出力先のネットワークの形式の信号に変換するとパケットを無線受信装置３０に接続されているネットワークへと出力する。
【００５７】
本実施形態の無線通信システムでは、無線送信装置のヘッダ解析部がパケットの優先度の判断を行い、優先度に応じてパケット送信制御部が出力のタイミングを制御している。パケット送信制御部は優先度の低いパケットを出力しているときに、優先度の高いパケットが入力されると優先度の低いパケットの出力を停止して、優先度の高いパケットの出力を開始する。無線送信装置のパケット送信制御部がこのような出力のタイミングの制御を行うことで、優先度の高いパケットの滞留を避けることができるため、優先度の高いパケットの遅延時間を抑制することができる。また、優先度の高いパケットが入力されていないときは、優先度の低いパケットを出力することができるため、通信の効率を維持することができる。その結果、本実施形態の無線通信システムでは、通信の効率を維持しつつ優先度の高いパケットの遅延時間の変動を抑制することができる。
【００５８】
本発明の第３の実施形態について図を参照して詳細に説明する。図９は本実施形態の無線通信システムの構成の概要を示したものである。本実施形態では、優先度の低いパケットの符号化および復号の際のデータパタンと符号の割り当てを示すデータテーブルを、無線送信装置と無線受信装置が連動して更新する。本実施形態の無線通信システムは、無線送信装置４０と、無線受信装置６０とを備えている。また、無線送信装置４０は、無線回線８０を介して無線受信装置６０に信号を送信する。本実施形態では、無線受信装置６０は、無線送信装置４０からの無線信号を中継装置等を介さずに直接、受信する。無線受信装置６０が、無線送信装置４０からの無線信号を無線回線８０に備えられた中継装置等を介して受信する構成とすることもできる。
【００５９】
図１０は無線送信装置４０の構成の概要を示したものである。無線送信装置４０は、パケット受信部４１と、ヘッダ解析部４２と、ＰＴＰパケットキュー部４３と、ヘッダ多重部４４と、出現確率更新制御部４５とを備えている。無線送信装置４０は、低優先パケットキュー部４６と、ハフマン符号化部４７と、低優先パケット制御部４８とをさらに備えている。無線送信装置４０は、パケット送信制御部４９と、ＦＥＣ符号化部５０と、シンボルマッピング部５１と、無線送信部５２とを備えている。また、無線送信装置４０には無線送信部５２から出力された信号を無線回線８０へ送信するためのアンテナ５３が接続されている。
【００６０】
パケット受信部４１、ヘッダ解析部４２、低優先パケットキュー部４６および低優先パケット制御部４８の構成と機能は、第２の実施形態の同一名称の部位と同様である。また、パケット送信制御部４９、ＦＥＣ符号化部５０、シンボルマッピング部５１および無線送信部５２の構成および機能は、第２の実施形態の同一名称の部位と同様である。
【００６１】
ヘッダ多重部４４は、第２の実施形態のヘッダ多重部と同様の機能を有する。さらに、ヘッダ多重部４４は、ハフマン符号化を行う際のデータパタンへの符号の割り当てを示すデータテーブルを生成するためのデータの収集の開始と終了の情報を含むパケットを生成して出力する機能を有する。データの収集の開始の情報を含むパケットおよび終了の情報を含むパケットは、符号の割り当てを示すデータテーブルを生成するためのデータの収集の開始と終了の情報を無線受信装置６０へと伝達するパケットである。本実施形態では、データの収集の開始を示す情報を含むパケットを更新開始パケット、データの収集の終了を示す情報を含むパケットを更新終了パケットと呼ぶことにする。ヘッダ多重部４４は、出現確率更新制御部４５から符号の割り当て表を生成するためのデータの収集を開始する情報を受け取ると、データの収集を開始することを示すパケット、すなわち更新開始パケットを生成する。また、ヘッダ多重部４４は、出現確率更新制御部４５から符号の割り当てを示すデータテーブルを生成するためのデータの収集を終了する情報を受け取ると、データの収集を終了することを示すパケット、すなわち更新終了パケットを生成する。更新開始パケットおよび更新終了パケットは、所定のデータサイズ未満に設定されている。所定のデータサイズは、本実施形態では６４Ｂｙｔｅとして設定されている。ヘッダ多重部４４は更新開始パケットまたは更新終了パケットを生成すると、ＰＴＰパケットであることを示す所定の情報をヘッダの前に付加してパケット送信制御部４９へと出力する。
【００６２】
ヘッダ多重部４４は、ＰＴＰパケットキュー部４３からパケットを受け取っている状態のときは、更新開始パケットと更新終了パケットの生成および出力の動作を保留する。ヘッダ多重部４４は、ＰＴＰパケットキュー部４３から受け取ったパケットの処理を終えた後に、更新開始パケットまたは更新終了パケットの生成および出力の動作を行う。
【００６３】
出現確率更新制御部４５は、ハフマン符号化部４７に入力されたデータを収集し、ハフマン符号化を行う際のデータパタンへの符号の割り当てを示すデータテーブルを生成する機能を有する。出現確率更新制御部４５は生成した符号の割り当てを示すデータテーブルをハフマン符号化部４５へと出力する。また、出現確率更新制御部４５は、符号の割り当てを示すデータテーブルを生成するためのデータの収集を開始する情報と終了する情報をヘッダ多重部４４およびハフマン符号化部４７に送る機能を有する。
【００６４】
ハフマン符号化部４７は、第２の実施形態のハフマン符号化部と同様の機能を有する。また、ハフマン符号化部４７は、第２の実施形態のハフマン符号化部が備える機能に加え、出現確率更新制御部４５から送られてきた符号の割り当てを示すデータテーブルを保存する機能を有する。ハフマン符号化部４７は、データに符号を割り当てる際に、出現確率更新制御部４５から送られてきたデータパタンへの符号の割り当てを示すデータテーブルを用いてデータに符号を割り当てる。ハフマン符号化部４７は、ハフマン符号化したデータを低優先パケット制御部４８へと出力する。ハフマン符号化部４７は、出現確率更新制御部４５から符号の割り当てを示すデータテーブルを生成するためのデータの収集の開始を開始する情報を受け取ると、低優先パケットキュー部４６から受け取ったデータを出現確率更新制御部４５へ出力する機能を有する。ハフマン符号化部４７は、出現確率更新制御部４５からデータの収集を終了する情報を受け取ると、低優先パケットキュー部４６から受け取ったデータを出現確率更新制御部４５へ出力する動作を終了する。
【００６５】
図１１は無線受信装置６０の構成の概要を示している。無線受信装置６０は、無線受信部６１と、シンボルデマッピング部６２と、ＦＥＣ復号化部６３と、ヘッダ解析部６４とを備えている。無線受信装置６０は、ＰＴＰパケット抽出部６１と、ＰＴＰパケットキュー部６６と、出現確率更新制御部６７と、ハフマン復号部６８と、低優先パケット復元部６９と、パケット送信部７０とをさらに備えている。また、無線受信装置６０は、無線回線８０を介して無線送信装置４０からの信号を受信するためのアンテナ７１と接続されている。無線受信部６１、シンボルデマッピング部６２、ＦＥＣ復号部６３およびヘッダ解析部６４の構成と機能は第２の実施形態の同一名称の部位と同様である。また、低優先パケット復元部６９およびパケット送信部７０の構成と機能は第２の実施形態の同一名称の部位と同様である。
【００６６】
ＰＴＰパケット抽出部６５は、ヘッダ解析部６４から受け取るパケットからハフマン符号化されたデータを復号するための符号の割り当てを示すデータテーブルの更新に関する情報を含むパケットを抽出する機能を有する。また、ＰＴＰパケット抽出部６５は、第２の実施形態において無線受信装置のＰＴＰパケットキュー部が備えていた、ＰＴＰパケットの受信の完了を判断する機能を有する。ＰＴＰパケット抽出部６５は、受け取ったパケットのデータ長を計測し、ヘッダ長の情報と受け取ったパケットのデータ長が一致したときに、ヘッダ解析部６４へＰＴＰパケットの受信が完了したことを示す情報を送る。また、ＰＴＰパケット抽出部６５は、パケットのデータサイズを監視して、ＰＴＰパケットであることを示す情報がヘッダに付加されたパケットのうち、所定のデータサイズ未満のパケットを検出する。本実施形態では所定のデータサイズは６４Ｂｙｔｅとして設定されている。ＰＴＰパケット抽出部６５は、所定のデータサイズ未満のパケットを検出すると、検出したパケットを出現確率更新制御部６７に出力する。また、所定のデータサイズ以上のパケットについては、ＰＴＰパケット抽出部６５は、パケットのデータに処理を行わずにそのままＰＴＰパケットキュー部６６に出力する。
【００６７】
ＰＴＰパケットキュー部６６は、受け取ったパケットを保存する機能を有する。ＰＴＰパケットキュー部６６は、保存したパケットを、保存した順に所定のタイミングでパケット送信部７０に出力する。
【００６８】
出現確率更新制御部６７は、ハフマン符号化されたデータをハフマン復号部６８で復号する際に用いる符号の割り当てを示すデータテーブルを生成する機能を有する。出現確率更新制御部６７は、ハフマン復号部６８から送られてくるデータを基に符号の割り当てを示すデータテーブル、すなわち、符号とデータパタンの関係を示すデータテーブルを生成する。出現確率更新制御部６７はハフマン復号部６８から送られてくるデータを保存して、保存したデータを集計して符号の割り当てを示すデータテーブルを生成する。出現確率更新制御部６７は、更新開始パケットを受け取ってから更新終了パケットを受け取るまでの間に、ハフマン復号部６８から出力されてくるデータを保存する。出現確率更新制御部６７は、更新終了パケットを受け取ると、保存したデータを集計して符号の割り当てを示すデータテーブルを生成する。出現確率更新制御部６７は、ＰＴＰパケット抽出部６５から送られてくる更新開始パケットおよび更新終了パケットに基づいて、ハフマン復号部６８にデータの出力の開始と終了を指示する機能を有する。出現確率更新制御部６７は生成した符号の割り当てを示すデータテーブルをハフマン復号部６８へと出力する機能を有する。
【００６９】
ハフマン復号部６８は、第２の実施形態のハフマン復号部と同様の機能を有する。第２の実施形態のハフマン復号部の備える機能に加え、ハフマン復号部６８は、出現確率更新制御部６７から受け取る符号の割り当てを示すデータテーブルに基づいて、符号に対応したデータパタンを出力することにより復号を行う機能を有する。ハフマン復号部６８は、ヘッダ解析部６４から受け取ったデータを復号すると低優先パケット復元部６９へと出力する機能を有する。また、ハフマン復号部６８は、出現確率更新制御部６７からの指示に基づいて、復号したデータを出現確率更新制御部６７に送る機能を有する。復号したデータを出現確率更新制御部６７に送る場合は、ハフマン復号部６８は、出現確率更新制御部６７と低優先パケット復元部６９の両方に同じデータを出力する。
【００７０】
無線送信装置４０が、ネットワークからパケット化されて入力されるデータを基に信号を生成して無線回線８０に送信する際の動作は第２の実施形態と同様である。また、無線受信装置６０が、無線送信装置４０からの無線信号を受信して復号する際の動作も第２の実施形態と同様である。その際に、第２の実施形態において、無線受信装置のＰＴＰパケットキュー部が行っていた、ＰＴＰパケットの受信の完了をヘッダ解析部に通知する動作は、本実施形態においてはＰＴＰパケット抽出部６５が行う。以下は、無線送信装置４０でのハフマン符号化およびハフマン符号化されたデータの無線受信装置６０での復号に用いる符号の割り当てを示すデータテーブルの更新を行う際の動作について説明する。
【００７１】
始めに無線送信装置４０においてハフマン符号化を行う際に用いるデータパタンへの符号の割り当てを示すデータテーブルを更新する際の動作について説明する。符号の割り当てを示すデータテーブルの更新から所定の時間が経過して、無線送信装置４０が符号の割り当てを示すデータテーブルの更新の動作を開始したとする。無線送信装置４０の出現確率更新制御部４５は、符号の割り当てを示すデータテーブルの更新の動作を開始すると、ヘッダ多重部４４およびハフマン符号化部４７に符号の割り当てを示すデータテーブルの更新を開始する情報を送る。ヘッダ多重部４４は、符号の割り当てを示すデータテーブルの更新を開始する情報を受け取ると、無線受信装置６０に符号の割り当てを示すデータテーブルの更新を開始する情報を伝達するためのパケットを更新開始パケットとして生成する。ヘッダ多重部４４は、更新開始パケットを生成すると、生成した更新開始パケットのヘッダ部の前にＰＴＰパケットであることを示す所定の情報を付加する。ヘッダ多重部４４は、生成した更新開始パケットのヘッダの前にＰＴＰパケットであることを示す所定の情報を付加すると、更新開始パケットをパケット送信制御部４９に出力する。パケット送信制御部４９に出力された更新開始パケットは、他のＰＴＰパケットと同様に無線受信装置６０まで送られる。
【００７２】
ハフマン符号化部４７は、符号の割り当てを示すデータテーブルの更新を開始する情報を受け取ると、低優先パケットキュー部４６から受け取ったパケットのデータを、出現確率更新制御部４５に出力する。ハフマン符号化部４７は、出現確率更新制御部４５にデータを出力している間に、低優先パケット制御部４８へのデータの出力も継続する。すなわち、ハフマン符号化部４７は、出現確率更新制御部４５と低優先パケット制御部４８に同じデータを出力する。ハフマン復号部４７は、符号の割り当てを示すデータテーブルの更新を終了する情報を受け取るまで、低優先パケットキュー部４６から受け取ったデータを出現確率更新制御部４５に出力する動作を継続する。
【００７３】
出現確率更新制御部４５は、ハフマン符号化部４７からデータを受け取ると、受け取ったデータを保存する。出現確率更新制御部４５は、受け取ったデータを保存する動作を所定の時間、継続する。所定の時間は、無線通信システムの伝送レートの設計値等に応じてあらかじめ設定されている。出現確率更新制御部４５が受け取ったデータを保存する期間は、時間ではなく、データ量として設定することもできる。出現確率更新制御部４５は、所定の時間が経過すると、符号の割り当てを示すデータテーブルの更新のためのデータ収集を終了する情報を、ヘッダ多重部４４およびハフマン符号化部４７へと送る。
【００７４】
ヘッダ多重部４４は、符号の割り当てを示すデータテーブルを更新するためデータ収集を終了する情報を受け取ると、無線受信装置６０に符号の割り当てを示すデータテーブルの更新を終了する情報を伝達するためのパケットを更新終了パケットとして生成する。ヘッダ多重部４４は、更新終了パケットを生成すると、生成した更新終了パケットのヘッダの前にＰＴＰパケットであることを示す所定の情報を付加する。ヘッダ多重部４４は、生成した更新終了パケットのヘッダの前にＰＴＰパケットであることを示す所定の情報を付加すると、更新終了パケットをパケット送信制御部４９に出力する。パケット送信制御部４９に出力された更新終了パケットは、他のＰＴＰパケットと同様に無線受信装置６０まで送られる。
【００７５】
ハフマン符号化部４７は、符号の割り当てを示すデータテーブルの更新のためのデータ収集を終了する情報を受け取ると、低優先パケットキュー部４６から受け取ったパケットのデータを、出現確率更新制御部４５に出力する動作を停止する。ハフマン符号化部４７は、出現確率更新制御部４５に出力する動作を停止すると、低優先パケット制御部４８へのみデータの出力を行う。
【００７６】
出現確率更新制御部４５は、所定の期間のデータを保存すると、保存したデータの集計を行う。出現確率更新制御部４５は、４ｂｉｔを単位として各パターンが出現する回数を計数することによりデータの集計を行う。出現確率更新制御部４５は、各パターンの出現回数を集計すると、各パターンの出現確率を計算する。出現確率更新制御部４５は、各パターンの出現確率を計算すると、出現確率の高いパターンから順に符号の割り当てを行う。データの各パターンへの符号の割り当ては出現確率の高いパターンほど短い符号が割り当てられるように、ハフマン符号化の方法で行われる。
【００７７】
出現確率が同じパターンが存在する場合には、出現確率が同じパターンについては更新前の確率の順に従って符号の割り当てが行われる。更新前でも確率が同じであった場合には、出現確率更新制御部４５はあらかじめ保存しているパターンの割り当ての優先順位を示すデータテーブルに従って符号の割り当てを行う。パターンの割り当ての優先順位を示すデータテーブルには、各パターンの優先順位が設定されている。出現確率が同じパターンがあった場合には、出現確率更新制御部４５は、パターンの割り当ての優先順位を示すデータテーブルにおいて優先順位が高いパターンの出現確率が高いとみなして符号の割り当てを行う。パターンの割り当ての優先順位を示すデータテーブルは、無線送信装置４０および無線受信装置６０に同一のものが保存されている。パターンの割り当ての優先順位を示すデータテーブルの各装置への保存は、例えば、装置の製造時や設置時に行う。パターンの割り当ての優先順位を示すデータテーブルの各装置への保存は、装置の設置後に作業者が同一のデータテーブルを装置に入力して保存することにより行うこともできる。パターンの割り当ての優先順位を示すデータテーブルの無線受信装置６０への保存は、無線送信装置４０から通信回線を介して無線受信装置６０に送られたデータテーブルを保存することによっても行うことができる。また、出現確率が同じパターンが存在する場合に、更新前の確率の順に従うのではなく、あらかじめ保存しているパターンの割り当ての優先順位を示すデータテーブルに従って符号の割り当てを行う方法とすることもできる。出現確率更新制御部４５は、符号の割り当てを行うと、データパタンと割り当てられた符号が紐づけられたデータテーブルを生成する。
【００７８】
図１２はデータパタンと符号の割り当てを示すデータテーブルの例を示したものである。図１２の例では、４ｂｉｔのデータパタン、出現確率およびデータパタンに割り当てられる符号が互いに紐づけられている。図１２の例では、出現確率ａ％が最も出現確率が高く、アルファベット順に出現確率が小さくなり、出現確率ｐ％が最も出現確率が低い。出現確率が最も高い「００００」のデータパタンには最も短い符号「０」が割り当てられている。また、出現確率が最も低い「１１１１」には、最も長い符号「１１１１１１１１１１１１１１１１０」が割り当てられている。また、図１２の例では「１１１１１１１０」はＰＴＰパケットの先頭位置の識別用に使うためにデータパタンには割り当てられていない。図１２に示した例は符号の割り当ての一例であり、ＰＴＰパケットの先頭位置の識別用の符号は他の符号が割り当てられてもよい。ＰＴＰパケットの先頭位置の識別用の符号は、データパタンには割り当てられない。出現確率更新制御部４５は符号の割り当てを示すデータテーブルを生成すると、データテーブルをハフマン符号化部４７に出力する。
【００７９】
ハフマン符号化部４７は、符号の割り当てのデータテーブルを受け取ると、受け取ったデータテーブルを保存する。ハフマン符号化部４７は、データテーブルを保存すると、新たに保存したデータテーブルに基づいて、低優先パケットキュー部４６から受け取ったデータのハフマン符号化を行って低優先パケット制御部４８に出力する。以上で、無線送信装置４０においてハフマン符号化を行う際に用いるデータパタンへの符号の割り当てを示すデータテーブルの更新は完了する。
【００８０】
次に、無線受信装置６０においてデータを復号する際に用いる符号の割り当てを示すデータテーブルを更新する際の動作について説明する。無線受信装置６０が無線回線８０を介して無線受信装置４０から送信された符号の割り当てを示すデータテーブルの更新の開始を示すパケットである更新開始パケットを受信したとする。受信された更新開始パケットは、無線受信部６１に入力されて通常のパケットと同様にヘッダ解析部６４へと送られる。ヘッダ解析部６４は、更新開始パケットを受け取ると、パケットにＰＴＰパケットであることを示すヘッダが付加されていることを検知してＰＴＰパケット抽出部６５に更新開始パケットを出力する。ＰＴＰパケット抽出部６５は、パケットが所定のデータサイズ未満かを判断する。更新開始パケットは所定のデータサイズ未満であるので、ＰＴＰパケット抽出部６５は、受け取ったパケットが更新開始パケットであることを検知する。更新開始パケットであることを検知すると、ＰＴＰパケット抽出部６５は更新開始パケットを出現確率更新制御部６７に出力する。出現確率更新制御部６７は更新開始パケットを受け取ると、ハフマン復号部６８にデータの出力を行う指示を送る。
【００８１】
ハフマン復号部６８はデータの出力を行う指示を受け取ると、ヘッダ解析部６４から受け取ったパケットのデータを復号したデータを出現確率更新制御部６７に出力する。ハフマン復号部６８は、出力を停止する指示を受け取るまで、出現確率更新制御部６７への復号したデータの出力を継続する。このとき、ハフマン復号部６８は、更新前の符号の割り当てを示すデータテーブルに基づいて復号を行う。また、ハフマン復号部６７は、ヘッダ解析部６４から受け取ったデータを復号したデータを低優先パケット復元部６９にも出力する。低優先パケット復元部６９に出力されたデータには通常と同じ処理、すなわち、符号の割り当てを示すデータテーブルの更新をおこなっていないときと同じ処理が行われる。
【００８２】
出現確率更新制御部６７は、ハフマン復号部６８からデータを受け取ると、受け取ったデータを保存する。出現確率更新制御部６７は、更新終了パケットを受け取るまでハフマン復号部６８から受け取るデータの保存を継続する。
【００８３】
無線受信装置６０が無線回線８０を介して無線受信装置４０から送信された符号の割り当てを示すデータテーブルの更新の終了を示すパケットである更新終了パケットを受信したとする。受信された更新終了パケットは、無線受信部６１に入力されて通常のパケットと同様にヘッダ解析部６４へと送られる。ヘッダ解析部６４は、更新終了パケットを受け取ると、パケットにＰＴＰパケットであることを示すヘッダが付加されていることを検知してＰＴＰパケット抽出部６５に更新終了パケットを出力する。ＰＴＰパケット抽出部６５は、更新終了パケットを受け取ると、データサイズから受け取ったパケットが更新終了パケットであることを検知する。更新終了パケットであることを検知すると、パケット抽出部６５は更新終了パケットを出現確率更新制御部６７に出力する。出現確率更新制御部６７は更新終了パケットを受け取ると、ハフマン復号部６８にデータの出力を停止する指示を送る。ハフマン復号部６８はデータの出力を停止する指示を受け取ると、出現確率更新制御部６７へのデータの出力を停止する。
【００８４】
出現確率更新制御部６７は、ハフマン復号部６８にデータの出力を停止する指示を送ると、保存したデータの集計を開始する。出現確率更新制御部６７は、４ｂｉｔを単位として各パターンが出現する回数を計数することによりデータの集計を行う。出現確率更新制御部６７は、各パターンの出現回数を集計すると、各パターンの出現確率を計算する。出現確率更新制御部６７は、各パターンの出現確率を計算すると、出現確率の高いパターンから順に符号の割り当てを行う。データの各パターンへの符号の割り当ては出現確率の高いパターンほど短い符号が割り当てられるように、ハフマン符号化の方法で行われる。また、出現確率が同じパターンが存在する場合には、出現確率が同じパターンについては更新前の確率の順に従って符号の割り当てが行われる。更新前でも確率が同じであった場合には、出現確率更新制御部６７はあらかじめ保存しているパターンの割り当ての優先順位示すデータテーブルに従って符号の割り当てを行う。また、出現確率が同じパターンが存在する場合に、更新前の確率の順に従うのではなく、あらかじめ保存しているパターンの割り当ての優先順位を示すデータテーブルに従って符号の割り当てを行う方法とすることもできる。出現確率が同じパターンが存在する場合には、無線送信装置４０および無線受信装置６０は、同一の方法により出現確率が同じパターンへの符号の割り当てを行う。
【００８５】
以上の方法で、無線送信装置４０と無線受信装置６０が符号の割り当てを示すデータテーブルを更新することにより、無線送信装置４０および無線受信装置６０は同じデータに基づいて符号の割り当てを示すデータテーブルを生成することができる。同じデータに基づいて符号の割り当てを示すデータテーブルを生成するので、無線送信装置４０と無線受信装置６０がそれぞれ生成するデータテーブルにおいて各データパタンへの符号の割り当ては一致する。よって、無線送信装置４０と無線受信装置６０がそれぞれ生成する符号の割り当てを示すデータテーブルにおいて、データパタンと符号の割り当ては一致する。無線送信装置４０側と無線受信装置６０側の符号の割り当てを示すデータテーブルが一致するので、新たに生成したデータテーブルに基づいて無線送信装置４０がハフマン符号化したデータを、無線受信装置６０が復号することが可能となる。
【００８６】
出現確率更新制御部６７は、符号の割り当てを示すデータテーブルを生成すると、データテーブルをハフマン復号部６８に出力する。ハフマン復号部６８は、新たなデータテーブルを受け取ると、受け取ったデータテーブルを保存する。ハフマン復号部６８は、新たなデータテーブルを保存すると、それ以降にヘッダ解析部６４から受け取ったデータを新たに保存したデータテーブルに基づいて復号して、低優先パケット復元部６９に出力する。以上で、無線受信装置６０においてハフマン符号化されたデータを復号する際に用いる符号の割り当てを示すデータテーブルの更新は完了する。無線送信装置４０および無線受信装置６０で内容が一致するデータテーブルの更新が完了したので、本実施形態の無線通信システムでは更新後のデータテーブルに基づいて無線送信装置４０と無線受信装置６０の間の通信を行うことが可能となる。
【００８７】
本実施形態では、符号の割り当てを示すデータテーブルの更新する際に、無線送信装置からの信号に基づいて無線送信装置と無線受信装置がそれぞれ更新動作を行ってデータを収集することにより同じデータテーブルを生成している。このような構成とすることにより、本実施形態の無線通信システムはデータテーブル更新作業のための通信の停止等を必要としない。通信を停止せずにデータテーブルの更新ができるため、本実施形態の無線通信システムでは通信の効率を低下させずに、通信の品質の維持が可能となり得る。
【００８８】
第２の実施形態および第３の実施形態では優先度の低いパケットのみ圧縮符号化して伝送しているが、伝送時間の厳密な管理の必要性が低い場合には、優先度の高いパケットについても圧縮符号化して伝送する構成とすることもできる。
【００８９】
第３の実施形態の無線通信システムは、無線送信装置から送信される信号を基に、無線送信装置および無線受信装置がそれぞれ符号の割り当てを示すデータテーブルの更新を行っている。このような構成に代えて、無線送信装置のみが符号の割り当てを示すデータテーブルの更新を行って、更新したデータテーブルを無線受信装置に送る構成とすることもできる。無線送信装置のみが符号の割り当てを示すデータテーブルの更新を行う構成とした場合には、無線受信装置は、受け取ったデータテーブルを基に、低優先のパケットの復号を行う。無線送信装置が無線受信装置にデータテーブルを送ることにより、共通したデータテーブルを基にした低優先のパケットの圧縮符号化および復号が可能となる。
【００９０】
無線送信装置のみが符号の割り当てを示すデータテーブルの更新を行う構成とした場合には、無線送信装置は、無線受信装置へ新たなデータテーブルの使用の開始を示す信号を送信する。無線送信装置は、新たなデータテーブルの使用の開始を示す信号を送信すると、低優先のパケットを新たなデータテーブルを基に圧縮符号化する。無線受信装置は、新たなデータテーブルの使用の開始を示す信号を受信すると、低優先のパケットを新たなデータテーブルに基づいて復号する。無線送信装置は、新たなデータテーブルの使用の開始を示す信号をＰＴＰパケットして送信する。また、無線送信装置が新たなデータテーブルをＰＴＰパケットとして送信することにより、新たなデータテーブルを基にした圧縮符号化および復号の開始のタイミングを、新たなデータテーブルの送受信時とすることもできる。
【００９１】
上記の実施形態の一部又は全部は、以下の付記のようにも記載されうるが、以下には限られない。
【００９２】
（付記１）
入力されたパケットから高優先パケットを検知する高優先パケット検知手段と、
前記高優先パケット以外のパケットを出力しているときに、前記高優先パケット検知手段が前記高優先パケットを検知した場合に、前記高優先パケット以外のパケットの出力を途中で停止して、前記高優先パケットの出力を行う送信制御手段と、
前記送信制御手段から出力されたパケットを基に無線送信用の無線信号を生成して出力する送信手段と
を備えることを特徴とする無線送信装置。
【００９３】
（付記２）
前記送信制御手段は、前記高優先パケット以外のパケットの出力を途中で停止して、前記高優先パケットの出力を行った場合に、前記高優先パケットの出力完了後に、出力を停止した前記高優先パケット以外のパケットの残りのデータを出力することを特徴とする付記１に記載の無線通信装置。
【００９４】
（付記３）
前記高優先パケットのヘッダの前に第２の所定の情報を付加する優先度付加手段をさらに備えることを特徴とする付記１または２いずれかに記載の無線送信装置。
【００９５】
（付記４）
前記優先度付加手段は、前記高優先パケット以外のパケットのヘッダの前に第３の所定の情報を付加する手段をさらに有することを特徴とする付記３に記載の無線送信装置。
【００９６】
（付記５）
前記高優先パケット以外のパケットを第１の所定の方法による符号化を行って前記送信制御手段に出力する圧縮符号化手段をさらに備えることを特徴とする付記１から４いずれかに記載の無線送信装置。
【００９７】
（付記６）
前記圧縮符号化手段が前記第１の所定の方法により符号化を行う際に用いるデータパタンと符号の関係を示す第１のデータテーブルを、前記高優先パケット以外のパケットのデータを基に更新するデータ更新手段をさらに備えることを特徴とする付記５に記載の無線送信装置。
【００９８】
（付記７）
前記データ更新手段が前記第１のデータテーブルの更新のためのデータの収集を開始する際に前記データの収集を開始することを示す信号を開始信号として出力し、前記データの収集を停止する際に前記データの収集を停止することを示す信号を停止信号として出力するデータ更新制御手段をさらに備えることを特徴とする付記６に記載の無線送信装置。
【００９９】
（付記８）
前記優先度付加手段は前記開始信号および前記停止信号に前記第２の所定の情報を付加して高優先パケットとして出力することを特徴とする付記７に記載の無線送信装置。
【０１００】
（付記９）
無線信号を受信して所定の形式に変換して受信信号として出力する受信手段と、
前記受信信号に含まれるパケットの優先度を第２の所定の方法で判断して、優先度の高い前記パケットを高優先パケットとして他のパケットとは分けて出力する高優先パケット判別手段と
を備えることを特徴とする無線受信装置。
【０１０１】
（付記１０）
前記受信信号に前記高優先パケット以外のパケットを分割したデータが含まれているときに、第１の所定の情報を基に、分割されたデータを結合するパケット結合手段をさらに有することを特徴とする付記９に記載の無線受信装置。
【０１０２】
（付記１１）
前記第２の所定の方法は、前記パケットに優先度を示す第２の所定の情報が付加されているかにより判断する方法であることを特徴とする付記９または１０ずれかに記載の無線受信装置。
【０１０３】
（付記１２）
送信側で第１の所定の方法により符号化された前記高優先パケット以外のパケットを復号する復号手段をさらに備えることを特徴とする付記９から１１いずれかに記載の無線受信装置。
【０１０４】
（付記１３）
前記復号手段が復号する際に用いる符号とデータパタンの関係を示す第２のデータテーブルを、前記高優先パケット以外のパケットのデータを基に更新する受信側データ更新手段をさらに備えることを特徴とする付記１２に記載の無線受信装置。
【０１０５】
（付記１４）
前記受信側データ更新手段が、前記データの収集を開始することを示す開始信号を受け取ったときに前記第２のデータテーブルの更新のための前記データの収集を開始し、前記データの収集を停止することを示す停止信号を受け取ったときに前記データの収集を停止することを特徴とする付記１３に記載の無線受信装置。
【０１０６】
（付記１５）
付記１から８いずれかに記載の無線送信装置と、
付記９から１４いずれかに記載の無線受信装置とを備え、
前記無線送信装置から出力された無線信号が前記無線受信装置に入力されることを特徴とする無線通信システム。
【０１０７】
（付記１６）
入力されたパケットから高優先パケットを検知し、
前記高優先パケット以外のパケットを出力しているときに、前記高優先パケットを検知した場合に、前記高優先パケット以外のパケットの出力を途中で停止して、前記高優先パケットを出力するように制御し、
出力されたパケットを基に無線送信用の無線信号を生成して出力することを特徴とする無線通信方法。
【０１０８】
（付記１７）
前記高優先パケット以外のパケットの出力を途中で停止して、前記高優先パケットの出力を行った場合に、前記高優先パケットの出力完了後に、出力を停止した前記高優先パケット以外のパケットの残りのデータを出力することを特徴とする付記１６に記載の無線通信方法。
【０１０９】
（付記１８）
前記高優先パケットのヘッダの前に第２の所定の情報を付加することを特徴とする付記１６または１７いずれかに記載の無線通信方法。
【０１１０】
（付記１９）
前記高優先パケット以外のパケットのヘッダの前に第３の所定の情報を付加することを特徴とする付記１８に記載の無線通信方法。
【０１１１】
（付記２０）
前記高優先パケット以外のパケットを第１の所定の方法により符号化することを特徴とする付記１６から１９いずれかに記載の無線通信方法。
【０１１２】
（付記２１）
前記高優先パケット以外のパケットを前記第１の所定の方法により符号化する際に用いるデータパタンと符号の関係を示す第１のデータテーブルを、前記高優先パケット以外のパケットのデータを基に更新することを特徴とする付記２０に記載の無線通信方法。
【０１１３】
（付記２２）
前記第１のデータテーブルの更新のためのデータの収集を開始する際に前記データの収集を開始することを示す開始信号を出力し、
前記データの収集を停止する際に前記データの収集を停止することを示す停止信号を出力し、
前記開始信号および前記停止信号に前記第２の所定の情報を付加して高優先パケットとして出力することを特徴とする付記２１に記載の無線通信方法。
【０１１４】
（付記２３）
前記無線信号を受信して所定の形式に変換して受信信号として出力し、
前記受信信号のパケットの優先度を第２の所定の方法で判断して、優先度の高い前記パケットを高優先パケットとして他のパケットとは分けて出力することを特徴とする付記１６から２２いずれかに記載の無線通信方法。
【０１１５】
（付記２４）
無線信号を受信して所定の形式に変換して受信信号として出力し、
前記受信信号のパケットの優先度を第２の所定の方法で判断して、優先度の高い前記パケットを高優先パケットとして他のパケットとは分けて出力することを特徴とする無線通信方法。
【０１１６】
（付記２５）
前記受信信号に前記高優先パケット以外のパケットを分割したデータが含まれているときに、第１の所定の情報を基に、分割したデータを結合することを特徴とする付記２４に記載の無線通信方法。
【０１１７】
（付記２６）
前記第２の所定の方法は、前記パケットに優先度を示す第２の所定の情報が付加されているかにより判断する方法であることを特徴とする付記２４または２５いずれかに記載の無線通信方法。
【０１１８】
（付記２７）
送信側で第１の所定の方法により圧縮符号化された前記高優先パケット以外のパケットを復号することを特徴とする付記２４から２６いずれかに記載の無線通信方法。
【０１１９】
（付記２８）
復号する際に用いる符号とデータパタンの関係を示す第２のデータテーブルを、前記高優先パケット以外のパケットのデータを基に更新することを特徴とする付記２７に記載の無線通信方法。
【０１２０】
（付記２９）
前記データの収集を開始することを示す開始信号を受け取ったときに前記第２のデータテーブルの更新のための前記データの収集を開始し、
前記データの収集を停止することを示す停止信号を受け取ったときに前記データの収集を停止することを特徴とする付記２８に記載の無線通信方法。
【産業上の利用可能性】
【０１２１】
本発明は、通信装置に利用することができ、特に優先度の高いデータの遅延時間の的確な管理が必要な無線通信装置に利用することができる。
【符号の説明】
【０１２２】
１０    無線送信装置
１１    パケット受信部
１２    ヘッダ解析部
１３    ＰＴＰパケットキュー部
１４    ヘッダ多重部
１５    低優先パケットキュー部
１６    ハフマン符号化部
１７    低優先パケット制御部
１８    パケット送信制御部
１９    ＦＥＣ符号化部
２０    シンボルマッピング部
２１    無線送信部
２２    アンテナ
３０    無線受信装置
３１    無線受信部
３２    シンボルデマッピング部
３３    ＦＥＣ復号部
３４    ヘッダ解析部
３５    ＰＴＰパケットキュー部
３６    ハフマン復号部
３７    低優先パケット復元部
３８    パケット送信部
３９    アンテナ
４０    無線送信装置
４１    パケット受信部
４２    ヘッダ解析部
４３    ＰＴＰパケットキュー部
４４    ヘッダ多重部
４５    出現確率更新制御部
４６    低優先パケットキュー部
４７    ハフマン符号化部
４８    低優先パケット制御部
４９    パケット送信制御部
５０    ＦＥＣ符号化部
５１    シンボルマッピング部
５２    無線送信部
５３    アンテナ
６０    無線受信装置
６１    無線受信部
６２    シンボルデマッピング部
６３    ＦＥＣ復号部
６４    ヘッダ解析部
６５    ＰＴＰパケット抽出部
６６    ＰＴＰパケットキュー部
６７    出現確率更新制御部
６８    ハフマン復号部
６９    低優先パケット復元部
７０    パケット送信部
７１    アンテナ
８０    無線回線
１０１    高優先パケット検知手段
１０２    送信制御手段
１０３    送信手段
【図１】
2015126303.tif 000003
【図２】
2015126303.tif 000004
【図３】
2015126303.tif 000005
【図４】
2015126303.tif 000006
【図５】
2015126303.tif 000007
【図６】
2015126303.tif 000008
【図７】
2015126303.tif 000009
【図８】
2015126303.tif 000010
【図９】
2015126303.tif 000011
【図１０】
2015126303.tif 000012
【図１１】
2015126303.tif 000013
【図１２】
2015126303.tif 000014